(57)【要約】【課題】  連続再生型ＤＰＦ装置のＤＰＦを再生するためのマルチ噴射やポスト噴射等の筒内燃料噴射制御を行う強制再生制御に関して、エンジンが温まっていない時の強制再生制御による失火や白煙の発生を防止することができる排気ガス浄化システムの制御方法及び排気ガス浄化システムを提供する。【解決手段】  エンジン１０の排気ガス通路１２に連続再生型ＤＰＦ装置１３を備えると共に、エンジン１０の冷却水の温度Ｔwmを検出する冷却水温検出手段３４１Ｃを備えた排気ガス浄化システム１において、制再生が必要と判断した場合であっても、前記冷却水温検出手段３４１Ｃにより検出されたエンジン１０の冷却水の温度Ｔwmが、所定の判定用水温Ｔw0より低いことを検出した場合には、ＤＰＦ１３ａの強制再生のための筒内燃料噴射制御を行わないように構成する。【選択図】  図４
2005282478.tif 000002
【特許請求の範囲】
【請求項１】
車両に搭載されたエンジンの排気ガス通路に連続再生型ディーゼルパティキュレートフィルタ装置を備えると共に、該連続再生型ディーゼルパティキュレートフィルタ装置における粒子状物質の捕集量を検出する捕集量検出手段と、エンジンの冷却水の温度を検出する冷却水温検出手段と、筒内燃料噴射制御により排気温度を上昇させて強制的に捕集された粒子状物質を燃焼して該連続再生型ディーゼルパティキュレートフィルタ装置を再生させる強制再生手段とを有するディーゼルパティキュレートフィルタ制御手段を備えた排気ガス浄化システムにおいて、
強制再生が必要と判断した場合であっても、前記冷却水温検出手段により検出されたエンジンの冷却水の温度が、所定の判定用水温より低いことを検出した場合には、強制再生のための前記筒内燃料噴射制御を行わないことを特徴とする排気ガス浄化システムの制御方法。
【請求項２】
車両に搭載されたエンジンの排気ガス通路に連続再生型ディーゼルパティキュレートフィルタ装置を備えると共に、該連続再生型ディーゼルパティキュレートフィルタ装置における粒子状物質の量を検出する捕集量検出手段と、エンジンの冷却水の温度を検出する冷却水温検出手段と、筒内燃料噴射制御により排気温度を上昇させて強制的に捕集された粒子状物質を燃焼して該連続再生型ディーゼルパティキュレートフィルタ装置を再生させる強制再生手段とを有するディーゼルパティキュレートフィルタ制御手段を備えた排気ガス浄化システムにおいて、
前記ディーゼルパティキュレートフィルタ制御手段が、前記強制再生手段による強制再生が必要と判断した場合であっても、前記冷却水温検出手段により検出されたエンジンの冷却水の温度が、所定の判定用水温より低いことを検出した場合には、強制再生のための前記筒内燃料噴射制御を行わないように制御することを特徴とする排気ガス浄化システム。
【請求項３】
前記筒内燃料噴射制御がマルチ噴射制御とポスト噴射制御の少なくとも一方又はその両方を含むことを特徴とする請求項２記載の排気ガス浄化システム。
【発明の詳細な説明】
【技術分野】
【０００１】
本発明は、ディーゼルエンジン等の内燃機関の排気ガスに対して、連続再生型ディーゼルパティキュレートフィルタ（ＤＰＦ）装置による粒子状物質（ＰＭ）の浄化を行う排気ガス浄化システムの制御方法及び排気ガス浄化システムに関するものである。
【背景技術】
【０００２】
ディーゼルエンジンから排出される粒子状物質（ＰＭ：パティキュレート・マター：以下ＰＭとする）の排出量は、ＮＯｘ，ＣＯそしてＨＣ等と共に年々規制が強化されてきており、このＰＭをディーゼルパティキュレートフィルタ（ＤＰＦ：Diesel Particulate Filter ：以下ＤＰＦとする）と呼ばれるフィルタで捕集して、外部へ排出されるＰＭの量を低減する技術が開発されている。
【０００３】
このＰＭを捕集するＤＰＦにはセラミック製のモノリスハニカム型ウオールフロータイプのフィルタや、セラミックや金属を繊維状にした繊維型タイプのフィルタ等があり、これらのＤＰＦを用いた排気ガス浄化システムは、他の排気ガス浄化システムと同様に、エンジンの排気通路の途中に設置され、エンジンで発生する排気ガスを浄化して排出している。
【０００４】
これらのＤＰＦ装置に、ＤＰＦの上流側に酸化触媒を設けた連続再生型ＤＰＦ装置や、触媒付きフィルタに担持させた触媒の作用によってＰＭの燃焼温度を低下させ、排気ガスによってＰＭを焼却する連続再生型ＤＰＦ装置等がある。
【０００５】
この上流側酸化触媒の連続再生型ＤＰＦ装置は、ＮＯ2 （二酸化窒素）によるＰＭの酸化が、排気ガス中の酸素によりＰＭを酸化することにより、低温で行われることを利用したもので、酸化触媒とフィルタとから構成され、この上流側の白金等を担持した酸化触媒により、排気ガス中のＮＯ（一酸化窒素）を酸化してＮＯ2 にして、このＮＯ2 で、下流側のフィルタに捕集されたＰＭを酸化してＣＯ2 （二酸化炭素）とし、ＰＭを除去している。
【０００６】
また、触媒付きフィルタの連続再生型ＤＰＦ装置は、酸化セリウム（ＣｅＯ2 ）等の触媒を有する触媒付きフィルタで構成され、低温域（３００℃〜６００℃程度）では、触媒付きフィルタにおける排気ガス中のＯ2 （酸素）を使用した反応（４ＣｅＯ2 ＋Ｃ→２Ｃｅ2 Ｏ3 ＋ＣＯ2 ，２Ｃｅ2 Ｏ3 ＋Ｏ2 →４ＣｅＯ2 等）によりＰＭを酸化し、ＰＭが排気ガス中のＯ2 で燃焼する温度より高い高温域（６００℃程度以上）では、排気ガス中のＯ2 によりＰＭを酸化している。
【０００７】
そして、この触媒付きフィルタの連続再生型ＤＰＦ装置等でも、上流側に酸化触媒を設けて、排気ガス中の未燃ＨＣやＣＯの酸化反応により、これらの大気中への放出を防止しながら、後段ＰＭフィルタ入口排気ガス温度を上昇させて、ＰＭの酸化除去を促進することが行われている。
【０００８】
しかしながら、これらの連続再生型ＤＰＦ装置においても、排気ガス温度が３５０℃以上の時には、このフィルタに捕集されたＰＭは連続的に燃焼して浄化され、フィルタは自己再生するが、排気温度が低い場合やＮＯの排出が少ないエンジンの運転状態、例えば、エンジンのアイドル運転や低負荷・低速度運転等の低排気温度状態が継続した場合においては、排気ガス温度が低く触媒の温度が低下して活性化しないため、酸化反応が促進されず、また、ＮＯが不足するので、上記の反応が生ぜず、ＰＭを酸化してフィルタを再生できないため、ＰＭのフィルタへの堆積が継続されて、フィルタが目詰まりが進行する。そのため、このフィルタの目詰まりによる排圧上昇の問題が生じる。
【０００９】
このフィルタの目詰まりに対して、この目詰まりが所定の目詰まり量を超えた時に排気温度を強制的に昇温させて捕集されているＰＭを強制的に燃焼除去することが考えられている。このフィルタの目詰まりの検出手段としては、フィルタの前後差圧で検出する方法や、走行距離で検出する方法や、エンジンの運転状態から捕集されるＰＭ量を予め設定したマップデータ等から算出してＰＭ累積量を求めて検出する方法等があり、また、排気温度の昇温手段としては、筒内（シリンダ内）噴射における噴射制御による方法や排気管内への直接燃料噴射における燃料制御による方法がある。
【００１０】
この筒内噴射制御は、排気温度がフィルタの上流に設けた酸化触媒又はフィルタに担持された酸化触媒の活性温度よりも低い場合に、マルチ噴射（多段噴射）を行って排気ガスを昇温し、その活性温度よりも上昇したらポスト噴射（後噴射）を行って、排気ガス中の燃料を酸化触媒で燃焼して排気ガスをフィルタに捕集されたＰＭが燃焼する温度以上に昇温して、フィルタに捕集されたＰＭを燃焼除去してフィルタを再生させる。
【００１１】
通常、これらの連続再生型ＤＰＦ装置では、このＰＭの蓄積量が予め設定したＰＭの蓄積限界値に到達した時に、自動的に、エンジンの運転状態を強制再生モード運転に変更して排気温度を強制的に上昇させたり、ＮＯやＮＯ2 の量を増加させたりして、フィルタに捕集されたＰＭを酸化して除去して再生処理を行っている。
【００１２】
しかしながら、排気温度を上げるために、筒内（シリンダ内）燃料噴射制御において、可能な限り噴射タイミングを遅らせて噴射するマルチ噴射やポスト噴射等を行う場合に、エンジン自体の状態、例えば、暖機過程中等により、エンジンの冷却水の温度が十分に上がっていない場合がある。この冷却水温度が低い場合には、筒内の着火時の温度が低いため、この噴射タイミングを遅らせた燃料噴射にとっては悪い着火環境となり、失火したり、燃焼不十分による白煙が発生したりするという問題がある。また、これを回避するために燃料噴射時期を進角させると、ＤＰＦの再生に必要な排気温度を得ることができないという問題が生じる。
【００１３】
一方、ＤＰＦの再生をポスト噴射により行う際に、ホワイトスモークが発生するのを防止するために、ＤＰＦの再生開始初期において、ＤＰＦに捕集された排気微粒子（ＰＭ）を除去可能な発熱量に見合う基本の噴射量に向かって、ポスト噴射の噴射量を漸増させる内燃機関の燃料噴射制御装置が提案されている。
【００１４】
しかしながら、この内燃機関の燃料噴射制御装置では、酸化触媒の酸化能力と関連したホワイトスモークの発生の問題を解決しようとするものであり、エンジンの暖機が不十分な状態での筒内燃料噴射におけるマルチ噴射やポスト噴射による失火や白煙の対策はないため、これらの問題に対する解決手段とはならない。
【００１５】
また、この内燃機関の燃料噴射制御装置では、常にポスト噴射を漸増させる制御となるので、ＰＭの燃焼除去の時間が長くなり、燃費も悪化するという問題が生じる。
【特許文献１】特開２００４−１１４４６号公報
【発明の開示】
【発明が解決しようとする課題】
【００１６】
本発明の目的は、連続再生型ＤＰＦ装置のＤＰＦを再生するためのマルチ噴射やポスト噴射等の筒内燃料噴射制御を行う強制再生制御に関して、エンジンが温まっていない時の強制再生制御による失火や白煙の発生を防止することができる排気ガス浄化システムの制御方法及び排気ガス浄化システムを提供することにある。
【課題を解決するための手段】
【００１７】
上記の目的を達成するための本発明の排気ガス浄化システムの制御方法は、車両に搭載されたエンジンの排気ガス通路に連続再生型ディーゼルパティキュレートフィルタ（以下、ＤＰＦ）装置を備えると共に、該連続再生型ＤＰＦ装置における粒子状物質の捕集量を検出する捕集量検出手段と、エンジンの冷却水の温度を検出する冷却水温検出手段と、筒内燃料噴射制御により排気温度を上昇させて強制的に捕集された粒子状物質を燃焼して該連続再生型ＤＰＦ装置を再生させる強制再生手段とを有するＤＰＦ制御手段を備えた排気ガス浄化システムにおいて、強制再生が必要と判断した場合であっても、前記冷却水温検出手段により検出されたエンジンの冷却水の温度が、所定の判定用水温より低いことを検出した場合には、強制再生のための前記筒内燃料噴射制御を行わないように構成される。
【００１８】
また、上記の目的を達成するための本発明の排気ガス浄化システムは、車両に搭載されたエンジンの排気ガス通路に連続再生型ＤＰＦ装置を備えると共に、該連続再生型ＤＰＦ装置における粒子状物質の量を検出する捕集量検出手段と、エンジンの冷却水の温度を検出する冷却水温検出手段と、筒内燃料噴射制御により排気温度を上昇させて強制的に捕集された粒子状物質を燃焼して該連続再生型ＤＰＦ装置を再生させる強制再生手段とを有するＤＰＦ制御手段を備えた排気ガス浄化システムにおいて、前記ＤＰＦ制御手段が、前記強制再生手段による強制再生が必要と判断した場合であっても、前記冷却水温検出手段により検出されたエンジンの冷却水の温度が、所定の判定用水温より低いことを検出した場合には、強制再生のための前記筒内燃料噴射制御を行わないように制御するように構成される。
【００１９】
そして、上記の排気ガス浄化システムにおいて、前記筒内燃料噴射制御がマルチ噴射制御とポスト噴射制御の少なくとも一方又はその両方を含むように構成される。
【００２０】
なお、上記の排気ガス浄化システムにおける連続再生型ＤＰＦ装置としては、フィルタに酸化触媒を担持させた連続再生型ＤＰＦ装置、フィルタの上流側に酸化触媒を設けた連続再生型ＤＰＦ装置、フィルタに触媒を担持させると共に該フィルタの上流側に酸化触媒を設けた連続再生型ＤＰＦ装置等がある。
【発明の効果】
【００２１】
本発明の排気ガス浄化システムの制御方法と排気ガス浄化システムによれば、エンジンの冷却水の温度が所定の判定用水温よりも低い場合には、マルチ噴射やポスト噴射等の筒内燃料噴射制御を含む強制再生制御を行わないように構成し、確実に冷却水の温度が上がってから強制再生制御を行うため、エンジン失火によるドライバビリティの悪化や白煙の発生等の不具合を防止することができる。
【発明を実施するための最良の形態】
【００２２】
以下、本発明に係る実施の形態の排気ガス浄化システムの制御方法と排気ガス浄化システムについて、酸化触媒と触媒付きフィルタの組合せで構成される連続再生型ＤＰＦ装置を備えた排気ガス浄化システムを例にして、図面を参照しながら説明する。
【００２３】
図１に、この実施の形態のエンジンの排気ガス浄化システム１の構成を示す。この排気ガス浄化システム１は、ディーゼルエンジン１０の排気マニホールド１１に接続する排気通路１２に連続再生型ＤＰＦ（ディーゼルパティキュレートフィルタ）装置１３を設けて構成されている。この連続再生型ＤＰＦ装置１３は、上流側に酸化触媒（ＤＯＣ）１３ａを下流側に触媒付きフィルタ（ＣＳＦ）１３ｂを有して構成される。
【００２４】
この酸化触媒１３ａは、多孔質のセラミックのハニカム構造等の担持体に、白金（Ｐｔ）等の酸化触媒を担持させて形成され、触媒付きフィルタ１３ｂは、多孔質のセラミックのハニカムのチャンネルの入口と出口を交互に目封じしたモノリスハニカム型ウオールフロータイプのフィルタや、アルミナ等の無機繊維をランダムに積層したフェルト状のフィルタ等で形成される。このフィルタの部分に白金や酸化セリウム等の触媒を担持する。
【００２５】
そして、触媒付きフィルタ１３ｂに、モノリスハニカム型ウオールフロータイプのフィルタを採用した場合には、排気ガスＧ中のＰＭ（粒子状物質）は多孔質のセラミックの壁で捕集（トラップ）され、繊維型フィルタタイプを採用した場合には、フィルタの無機繊維でＰＭを捕集する。
【００２６】
そして、触媒付きフィルタ１３ｂのＰＭの堆積量を推定するために、連続再生型ＤＰＦ装置１３の前後に接続された導通管に差圧センサ２１が設けられる。また、触媒付きフィルタ１３ｂの再生制御用に、酸化触媒１３ａと触媒付きフィルタ１３ｂの上流側、中間及び下流側に、それぞれ、酸化触媒入口排気温度センサ２２、フィルタ入口排気温度センサ２３が設けられる。なお、吸気通路１７には、エアクリーナー１８が設けられている。
【００２７】
これらのセンサの出力値は、エンジン１０の運転の全般的な制御を行うと共に、連続再生型ＤＰＦ装置１３の再生制御も行う制御装置（ＥＣＵ：エンジンコントロールユニット）３０に入力され、この制御装置３０から出力される制御信号により、エンジン１０の燃料噴射装置（噴射ノズル）１４や、排気通路１２の連続再生型ＤＰＦ装置１３の下流側に設けられ、排気量を調整する排気絞り弁１６や、図示しないＥＧＲ通路にＥＧＲクーラと共に設けられたＥＧＲ量を調整するＥＧＲバルブ等が制御される。
【００２８】
この燃料噴射装置１４は燃料ポンプ（図示しない）で昇圧された高圧の燃料を一時的に貯えるコモンレール噴射システム（図示しない）に接続されており、制御装置３０には、エンジンの運転のために、アクセルポジションセンサ（ＡＰＳ）３１からのアクセル開度、回転数センサ３２からのエンジン回転数、走行距離センサ３３からの走行距離、水温センサ３４からのエンジンの冷却水の温度等の情報の他、車両速度等も入力される。
【００２９】
そして、制御装置３０は、図２に示すように、エンジンの運転を制御するエンジン制御手段２０Ｃと、排気ガス浄化システム１のためのＤＰＦ制御手段３０Ｃ等を有して構成される。そして、このＤＰＦ制御手段３０Ｃは、通常運転制御手段３１Ｃ、ＰＭ捕集量検出手段３２Ｃ、走行距離検出手段３３Ｃ、強制再生手段３４Ｃ、警告手段３５Ｃ等を有して構成される。
【００３０】
通常運転検出手段３１Ｃは、特に、連続再生型ＤＰＦ装置１３の再生に関係なしに行われる通常の運転を行うための手段であり、アクセルポジションセンサ３１の信号及び回転数センサ３２の信号に基づいて制御装置３０で演算された通電時間信号により、所定量の燃料が燃料噴射装置１４から噴射される通常の噴射制御が行われる。
【００３１】
ＰＭ捕集量検出手段３２Ｃは、連続再生型ＤＰＦ装置１３の触媒付きフィルタ１３ｂに捕集されるＰＭ（粒子状物質）の捕集量ΔＰm を検出する手段であり、この捕集量ΔＰm の検出は、エンジンの回転速度や負荷から推定した堆積量の累積計算値や、エンジンの回転累積時間や、連続再生型ＤＰＦ装置１３の前後の差圧等で検出する。この実施の形態では、連続再生型ＤＰＦ装置１３の前後の差圧、即ち、差圧センサ２１による測定値を基にして検出する。
【００３２】
走行距離検出手段３３Ｃは、ＤＰＦ再生の後に車両が走行した距離ΔＭc を検出する手段であり、走行距離センサ３３で計測される走行距離を基にして求められ、強制再生が行われた場合には、再生の開始時から再生終了時までの適当な時期にリセットされる。
【００３３】
強制再生手段３４Ｃは、連続再生型ＤＰＦ装置１３の種類に応じて多少制御が異なるが、エンジン１０の筒内（シリンダ内）噴射においてマルチ噴射（多段噴射）を行って、排気温度を酸化触媒１３ａの活性温度まで上昇させ、その後ポスト噴射（後噴射）を行ってフィルタ入口排気温度センサ２３で検知されるフィルタ入口排気温度Ｔfiを５００℃〜６００℃に上げて、ＰＭの酸化除去に適した温度や環境になるようにし、触媒付きフィルタ１３ｂに捕集されたＰＭを強制的に燃焼除去して触媒付きフィルタ１３ｂを強制再生する。なお、排気絞り弁１６やＥＧＲ等の吸気系制御を必要に応じて併用する。
【００３４】
そして、本発明においては、この強制再生手段３４Ｃは、エンジンの冷却水の温度Ｔwmを検出する冷却水温検出手段３４１Ｃを有して構成され、この冷却水温検出手段３４１Ｃで検出されたエンジンの冷却水の温度Ｔwmが予め設定された所定の判定用水温Ｔw0より小さい場合には、マルチ噴射制御及びポスト噴射制御を行わず、検出された冷却水温Ｔwmが所定の判定用水温度Ｔw0より高くなるまで待って、高くなってからマルチ噴射制御及びポスト噴射制御を行って、触媒付きフィルタ１３ｂを強制再生するように構成される。
【００３５】
警告手段３５Ｃは、点滅灯（ＤＰＦランプ）４１、警告灯（警告ランプ）４２等で構成され、ドライバー（運転者）に、点滅灯４１の点滅により手動による強制再生手段３４Ｃの作動を促す警告を行ったり、警告灯４２の点灯によりドライバーに車両をサービスセンターに持っていくように促す手段である。なお、この警告を受けたドライバーは手動再生スイッチ４３を操作することにより、強制再生手段３４Ｃを作動することができる。
【００３６】
そして、これらの各種手段を有するＤＰＦ制御手段３０Ｃは、ＰＭ捕集量検出手段３２Ｃで検出されたＰＭの捕集量ΔＰm と、走行距離検出手段３３Ｃで検出されたＤＰＦ再生の後の走行距離ΔＭc に基づいて、通常運転制御手段３１Ｃによる通常の運転を継続したり、ドライバーに対して手動による強制再生手段３４Ｃの作動を促す警告を行ったり、自動的に強制再生手段３４Ｃを作動させたりする手段として構成される。
【００３７】
次に、この排気ガス浄化システム１の再生制御について説明する。この排気ガス浄化システム１の制御においては、通常運転制御手段３１Ｃによって通常の運転が行われ、ＰＭを捕集するが、この通常の運転において、適当な時間間隔で、図３及び図４に例示するような再生制御フローに従った制御を行う。この制御で、ＰＭ捕集量検出手段３１Ｃで検出されたＰＭの捕集量ΔＰm と走行距離検出手段３２Ｃで検出された走行距離ΔＭc が、所定の範囲内に入るか否か、手動再生の可否、走行自動再生の可否を判断して、必要に応じて、各種の処理を行った後戻って、更に、通常運転制御手段３１Ｃによる通常の運転を行う。そして、通常の運転と再生制御を繰り返しながら、車両の運転が行われる。
【００３８】
この図３及び図４の再生制御フローについて、強制再生制御の要否を判定するために用いる図５の再生制御用マップを参照しながら説明する。
【００３９】
最初に、図５の再生制御用マップについて説明すると、この図５の模式的に示した再生制御用マップは、縦軸はＰＭ（捕集物）の捕集量（この実施の形態では差圧）ΔＰを示し、この捕集量ΔＰの領域を第１閾値（所定の判定用捕集量）ΔＰ1 、第２閾値ΔＰ2 、第３閾値ΔＰ3 の三つの閾値で、第１捕集量領域Ｒp1，第２捕集量領域Ｒp2，第３捕集量領域Ｒp3，第４捕集量領域Ｒp4の四つの領域に区分する。また、横軸は走行距離ΔＭを示し、この走行距離ΔＭの領域を第１閾値（所定の判定用走行距離）ΔＭ1 、第２閾値ΔＭ2 、第３閾値ΔＭ3 の三つの閾値で、第１走行距離領域Ｒm1，第２走行距離領域Ｒm2，第３走行距離領域Ｒm3，第４走行距離領域Ｒm4の四つの領域に区分する。そして、再生制御によって現在の状態がどの領域にあるかを判断し、必要に応じて、次のような処理が行われる。
【００４０】
なお、この第１閾値（所定の判定用走行距離）ΔＭ1 は、手動による強制再生を行う場合のオイルダイリューションによる問題が生じない下限を示す値であり、また、第２閾値ΔＭ2 は、走行中に自動的に強制再生を行う場合のオイルダイリューションによる問題が生じない下限を示す値である。更に、第３閾値ΔＭ3 は、触媒付きフィルタ１３ｂにおけるＰＭの偏積に起因する熱暴走及びＤＰＦの溶損を防止するために強制再生を行う値である。また、この第４走行距離領域Ｒm4は、第３閾値ΔＭ3 を超えた領域のことであり、自動的に強制再生を行ったり、自動的に警告灯を点灯したりする。
【００４１】
最初に、検出された走行距離ΔＭc が第１閾値ΔＭ1 を超えずに第１走行距離領域Ｒm1にある場合は、手動（マニュアル）による強制再生を行うと、オイル中の燃料の蒸発が不十分であるため、オイルダイリューションの問題が生じる。そのため、この場合には手動による強制再生を禁ずる。また、この場合でも、走行パターンによっては、走行距離当たりのＰＭの蓄積量が多くて、検出された捕集量ΔＰm が、第３閾値ΔＰ3 を超えて第４捕集量領域Ｒp4に入ってしまうことが生じる時があるが、この時には、連続再生型ＤＰＦ装置１３に捕集されたＰＭが自己燃焼を開始して急激なＰＭの燃焼である熱暴走を回避するために、手動再生及び走行自動再生を禁止した状態にすると共に、ドライバーにディーラー等のサービスセンターに持っていくことを促すための警告灯４２を点灯する。サービスセンターでは、例えば、エアによる逆洗や中温での長時間の焼き出し等を行って、フィルタの溶損を回避しながら、フィルタを再生する。
【００４２】
次に、検出された走行距離ΔＭc が第１閾値ΔＭ1 を超えて第２走行距離領域Ｒm2に入った時には、まだ、走行が不十分でエンジンオイルに混入した燃料分の蒸発が十分に行われていないため自動強制再生は行わずに、車両を停止して手動で強制再生を行う手動再生を促す警告を行うが、検出された捕集量ΔＰm の大きさによって異なる警告を行う。
【００４３】
検出された捕集量ΔＰm が、第１閾値（所定の判定用捕集量）ΔＰ1 より小さい間は、触媒付きフィルタ１３ｂの目詰まりは小さく、強制再生手段３４Ｃの作動の必要は無いので、そのまま、通常の運転を継続する。また、検出された捕集量ΔＰm が、第１閾値（所定の判定用捕集量）ΔＰ1 を超えているが、第２閾値ΔＰ2 を超えていないという第２差圧領域Ｒp2に入った時には、強制再生時のオイルダイリューションの問題を回避するために走行自動再生を禁止すると共に、点滅灯（ＤＰＦランプ）４１をゆっくり点滅（マニュアル点滅１）させ、ドライバーに対して、車両を停止しての手動による強制再生（手動再生：マニュアル再生）を促す。
【００４４】
更に、検出された捕集量ΔＰm が、第２閾値ΔＰ2 を超えているが、第３閾値ΔＰ3 を超えていないという第３差圧領域Ｒp3に入った時には、強制再生時のオイルダイリューションの問題を回避するために走行自動再生を禁止すると共に、点滅灯４１を早く点滅（マニュアル点滅２）させ、ドライバーに対して、車両を停止しての手動による強制再生を強く促す。この第３差圧領域Ｒp3に入った場合には、運転状態によっては、連続再生型ＤＰＦ装置１３に捕集されたＰＭが自己燃焼を開始して急激なＰＭの燃焼である熱暴走を起こし、触媒付きフィルタ１３ｂの溶損が生じる可能性が大きくなるので、この自己着火を懸念して噴射燃料量の絞りを併せて行う。
【００４５】
そして、検出された捕集量ΔＰm が、第３閾値ΔＰ3 を超えて第４差圧領域Ｒp4に入った時には、熱暴走を回避するために、手動再生及び走行自動再生を行わないようにして、警告灯４２を点灯し、運転者にサービスセンターに持っていくことを促す。
【００４６】
次に、検出された走行距離ΔＭc が第２閾値ΔＭ2 を超えて第３走行距離領域Ｒm3に入った時には、エンジンオイルに混入した燃料分の蒸発が十分に行われ、走行中の自動強制再生（走行自動再生）が可能になっているので、検出された捕集量ΔＰm が、第１閾値（所定の判定用捕集量）ΔＰ1 を超えて第２捕集量領域Ｒp2に入った時には、走行中において自動的に強制再生手段３４Ｃを作動させる走行自動再生を行う。この走行自動再生により、運転者に手動による強制再生、即ち、手動再生スイッチ４３のＯＮ／ＯＦＦ操作に関する負担をかけることのないようにする。なお、検出された捕集量ΔＰm が、第１閾値（所定の判定用捕集量）ΔＰ1 より小さい間は、触媒付きフィルタ１３ｂの目詰まりは小さく、強制再生手段３４Ｃの作動の必要は無いので、そのまま、通常の運転を継続する。
【００４７】
そして、検出された走行距離ΔＭc が第３閾値ΔＭ3 を超えて第４走行距離領域Ｒm4に入った時には、エンジンオイルに混入した燃料分の蒸発が十分に行われ、走行中の自動強制再生が可能になっているので、検出された捕集量ΔＰm が、第３閾値ΔＰ3 を超えない範囲では、検出された差圧ΔＰm に関係なく必ず走行中の自動強制再生を行って偏積されたＰＭを焼却する。しかし、検出された捕集量ΔＰm が、第３閾値ΔＰ3 を超えて第４差圧領域Ｒp4に入った時には、熱暴走を回避するために手動再生及び走行自動再生を禁止した状態にすると共に、警告灯４２を点灯し、運転者にサービスセンターに持っていくことを促す。
【００４８】
上記の図５に示すような再生制御マップに示された制御は、図３に例示したような再生制御フローによって実施できる。この図３の再生制御フローがスタートすると、ステップＳ１０で、検出された走行距離ΔＭc が第１閾値（所定の判定用走行距離）ΔＭ1 を超ているか否かを判定する。この判定で、超えておらずに第１走行距離領域Ｒm1にある場合には、ステップＳ１１で、検出された捕集量ΔＰm が、第３閾値ΔＰ3 を超えているか否かを判定し、超えていない場合にはそのままでリターンし、通常の運転を継続する。また、超えている場合にはステップＳ１２で警告灯４２を点灯してリターンする。
【００４９】
従って、ステップＳ１０の判定で第１走行距離領域Ｒm1にあると判定された場合には、手動による強制再生手段３４Ｃの作動は禁止される。なお、車両の走行中に自動的に強制再生手段３４Ｃの作動を行う走行自動再生も行われない。
【００５０】
そして、ステップＳ１０で、走行距離ΔＭc が第１閾値（所定の判定用走行距離）ΔＭ1 を超えている場合には、ステップＳ２０で、走行距離ΔＭc が第２閾値ΔＭ2 を超えているか否かを判定する。この判定で、超えていない場合には、ステップＳ２１で捕集量ΔＰm が第１閾値（所定の判定用捕集量）ΔＰ1 を超えているか否かを判定し、超えていない場合にはそのままリターンし通常の運転を継続する。
【００５１】
そして、ステップＳ２１で捕集量ΔＰm が第１閾値（所定の判定用捕集量）ΔＰ1 を超えている場合には、ステップＳ２２で捕集量ΔＰm が第２閾値ΔＰ2 を超えているか否かを判定し、超えていない場合には、ステップＳ２４で、点滅灯（ＤＰＦランプ）４１をゆっくり点灯し、ステップＳ２６で手動再生スイッチのＯＮ／ＯＦＦを判定する。
【００５２】
また、ステップＳ２２の判定で捕集量ΔＰm が第２閾値ΔＰ2 を超えている場合には、ステップＳ２３で捕集量ΔＰm が第３閾値ΔＰ3 を超えているか否かを判定し、超えていない場合には、ステップＳ２５で、点滅灯（ＤＰＦランプ）４１を早く点灯し、ステップＳ２６で手動再生スイッチのＯＮ／ＯＦＦを判定する。
【００５３】
ステップＳ２６で手動再生スイッチ４３がＯＮである場合には、ステップＳ２６の手動再生スイッチ４３のＯＮによって強制再生手段３４Ｃを作動させる手動再生を行い、ステップＳ２８で、走行距離ΔＭc のカウンタをリセットしてリターンする。また、捕集量ΔＰm を差圧ではなく、ＰＭの累積量で判定する場合には、このＰＭの累積量もリセットする。また、ステップＳ２６で手動再生スイッチ４３がＯＮでない場合には、そのままリターンし、この再生制御フローの繰り返し中にドライバーによって手動再生スイッチ４３がＯＮされるのを待つ。
【００５４】
そして、ステップＳ２３の判定で、捕集量ΔＰm が第３閾値ΔＰ3 を超えている場合には、手動再生と走行自動再生を禁止した状態で、ステップＳ２９で、警告灯４２を点灯してリターンする。
【００５５】
また、ステップＳ２０の判定で、走行距離ΔＭc が第２閾値ΔＭ2 を超えている場合には、ステップＳ３０で、走行距離ΔＭc が第３閾値ΔＭ3 を超えているか否かを判定する。このステップＳ３０の判定で、超えている場合には、ステップＳ３１で捕集量ΔＰm が第１閾値（所定の判定用捕集量）ΔＰ1 を超えているか否かを判定する。このステップＳ３１の判定で、超えていない場合にはそのままリターンし通常の運転を継続する。また、ステップＳ３１の判定で超えている場合には、ステップＳ３２の判定に行く。そして、ステップＳ３０の判定で、超えていない場合もステップＳ３２の判定に行く。
【００５６】
ステップＳ３２で、捕集量ΔＰm が第３閾値ΔＰ3 を超えているか否かを判定し、超えている場合には、手動再生と走行自動再生を禁止した状態で、ステップＳ３５で、警告灯４２を点灯してリターンする。
【００５７】
また、ステップＳ３２の判定で、捕集量ΔＰm が第３閾値ΔＰ3 を超えていない場合には、ステップＳ３３で走行中に自動的に強制再生手段３４Ｃを作動させる走行自動再生を行い、ステップＳ３４で、走行距離ΔＭc のカウンタをリセットし、リターンする。また、捕集量ΔＰm を差圧ではなく、ＰＭの累積量で判定する場合には、このＰＭの累積量もリセットする。
【００５８】
そして、本発明においては、強制再生手段３４Ｃを作動させるステップＳ２７の手動再生及びステップＳ３３の走行自動再生においては、図４に示すような制御フローで、マルチ噴射制御とポスト噴射制御が行われ、触媒付きフィルタ１３ｂを再生する。
【００５９】
この図４に示す制御フローでは、図３の制御フローのステップＳ２７やステップＳ３３で呼ばれてスタートすると、ステップＳ４１で、水温センサ３４で検出したエンジンの冷却水の温度Ｔwmが、事前に設定してある所定の判定用水温Ｔw0以上であるか否かを判定し、小さければ、直ぐに強制再生を開始するとマルチ噴射やポスト噴射時に失火してしまい、白煙が出る危険性があるので、ステップＳ４２に行き、暖機システムを作動し、冷却水温Ｔwmの判定のインターバルに関係する所定の時間の間暖機運転を行い、ステップＳ４１に戻り、冷却水の温度Ｔwmが所定の判定用水温Ｔw0以上に上昇するまで待つ。
【００６０】
また、ステップＳ４１の冷却水の温度Ｔwmの判定で、所定の判定用水温Ｔw0以上であれば、ステップＳ４３で、強制再生システムの作動を許可し、ステップＳ４４で排気温度のチェックを行う。即ち、酸化触媒入口排気温度センサ２２で検出される排気温度Ｔdiが所定の判定温度Ｔd0よりも小さいか否かを判定する。
【００６１】
そして、ステップＳ４４の排気温度のチェックで、排気温度Ｔdiが所定の判定温度Ｔd0よりも小さい場合には、ステップＳ４５のマルチ噴射を行う第１強制再生制御を、再生制御の完了を判定するインターバルに関係する所定の時間の間行う。その後、ステップＳ４７で、再生制御が完了したか否かを判定する。この第１強制再生制御は、エンジン１０の筒内（シリンダ内）噴射においてマルチ噴射（多段噴射）を行って、排気温度Ｔdiを酸化触媒１３ａの活性温度Ｔd0まで上昇させる制御である。
【００６２】
また、ステップＳ４４の排気温度のチェックで、排気温度Ｔdiが所定の判定温度Ｔd0以上の場合には、ステップＳ４６のマルチ噴射とポスト噴射を行う第２強制再生制御を、再生制御の完了を判定するインターバルに関係する所定の時間の間行う。この第２強制再生制御では、マルチ噴射と共にポスト噴射（後噴射）を行ってフィルタ入口排気温度センサ２３で検知されるフィルタ入口排気温度Ｔfiを５００℃〜６００℃に上げて、ＰＭの酸化除去に適した温度や環境になるようにし、触媒付きフィルタ１３ｂに捕集されたＰＭを強制的に燃焼除去して触媒付きフィルタ１３ｂを強制再生する。その後、ステップＳ４７で、再生制御が完了したか否かを判定する。なお、この強制再生に際しては、排気絞り弁１６やＥＧＲ等の吸気系制御を必要に応じて併用する。また、ポスト噴射の代わりに、排気通路内直接燃料噴射により、排気ガス中に未燃燃料を供給するようにして、マルチ噴射と排気通路内直接燃料噴射で第２強制再生制御を行ってもよい。
【００６３】
ステップＳ４７の再生制御の判定は、予め設定した再生処理時間を経過したか否か、差圧センサ２１で検出した差圧ΔＰm が、所定の完了判定用差圧値ΔＰm1以下になったか否か等により行う。
【００６４】
そして、このステップＳ４７の再生制御の完了の判定で、完了していないと判定された場合には、ステップＳ４１に戻って、ステップＳ４１〜ステップＳ４７を、完了の判定が得られるまで繰り返す。
【００６５】
このステップＳ４７の再生制御の完了の判定で、完了していると判定された場合には、この図４の制御フローを終了してリターンし、図３の制御フローに戻る。
【００６６】
上記の排気ガス浄化システムの制御によれば、エンジンの冷却水の温度Ｔwmが所定の判定用水温Ｔw0よりも低い場合には、マルチ噴射制御やポスト噴射制御等の筒内燃料噴射制御を含む強制再生制御を行わず、エンジンの冷却水の温度Ｔwmが所定の判定用水温Ｔw0以上の場合だけ、強制再生制御を行うことができる。
【００６７】
従って、エンジンの冷却水の温度が低くて、強制再生制御時において、再生初期時の失火によりドライバビリティが悪化したり、白煙が発生したりする不具合を防止することができる。
【００６８】
なお、上記の説明では、排気ガス浄化システムにおける連続再生型ＤＰＦ装置として、フィルタに触媒を担持させると共に該フィルタの上流側に酸化触媒を設けた連続再生型ＤＰＦ装置を例にして説明したが、本発明はこれに限定されるものではなく、フィルタに酸化触媒を担持させた連続再生型ＤＰＦ装置、フィルタの上流側に酸化触媒を設けた連続再生型ＤＰＦ装置等の他のタイプの連続再生型ＤＰＦ装置にも適用可能である。
【図面の簡単な説明】
【００６９】
【図１】本発明に係る実施の形態の排気ガス浄化システムのシステム構成図である。
【図２】本発明に係る実施の形態の排気ガス浄化システムの制御手段の構成を示す図である。
【図３】本発明に係る実施の形態の排気ガス浄化システムの再生制御フローを示す図である。
【図４】本発明に係る実施の形態の強制再生制御の制御フローを示す図である。
【図５】本発明に係る実施の形態の排気ガス浄化システムの再生制御用マップを模式的に示す図である。
【符号の説明】
【００７０】
１    排気ガス浄化システム
１０    ディーゼルエンジン（内燃機関）
１３    連続再生型ＤＰＦ装置
１３ａ  酸化触媒
１３ｂ  触媒付きフィルタ
３０    制御装置（ＥＣＵ）
３４    水温センサ
３０Ｃ  ＤＰＦ制御手段
３１Ｃ  通常運転制御手段
３２Ｃ  ＰＭ捕集量検出手段
３３Ｃ  走行距離検出手段
３４Ｃ  強制再生手段
３４１Ｃ  冷却水温検出手段
３５Ｃ  警告手段
Ｔwm  エンジンの冷却水の温度
Ｔw0  所定の判定用水温
【図１】
2005282478.tif 000003
【図２】
2005282478.tif 000004
【図３】
2005282478.tif 000005
【図４】
2005282478.tif 000006
【図５】
2005282478.tif 000007